【手続補正書】
【提出日】平成24年2月14日(2012.2.14)
【手続補正１】
【補正対象書類名】明細書
【補正対象項目名】０００７
【補正方法】変更
【補正の内容】
【０００７】
請求項１記載の発明は、被写体像を撮影する撮像手段と、静止画像の撮影を指示する撮影指示手段と、上記撮影指示手段での指示タイミングに応じて上記撮像手段で得た画像を記録する記録手段と、上記撮像手段で得る画像を循環的に一定時間分記憶する一時記憶手段と、上記撮影指示手段で撮影を指示した後に、上記一時記憶手段に記憶した画像の追加記録を指示する追加記録指示手段と、上記追加記録指示手段での指示に応じて、上記一時記憶手段で記憶した画像であって、上記撮影指示手段での指示タイミングよりも前に撮影された画像を上記記録手段に追加記録する記録制御手段と、予め与えられる所定の条件の成立に従って上記一時記憶手段が記憶する画像を自動的に消去する一時記憶制御手段とを具備したことを特徴とする。
【手続補正２】
【補正対象書類名】明細書
【補正対象項目名】０００８
【補正方法】変更
【補正の内容】
【０００８】
請求項２記載の発明は、更に、上記追加記録指示手段は、上記一時記憶手段に記憶した画像の中から任意に選択した画像の追加記録を指示し、上記記録制御手段は、上記追加記録指示手段により選択された画像を上記記録手段に追加記録し、上記一時記憶制御手段は、上記一時記憶手段が記憶する画像の中で、上記追加記録指示手段により選択されなかった画像については、ユーザーによる削除の指示が無くとも自動的に消去することを特徴とする。
請求項３記載の発明は、画像を表示する表示手段と、上記撮像手段で得られる画像を随時上記表示手段でモニタ表示させ、上記撮影指示手段での指示タイミングに応じて上記モニタ表示を停止し、代わって上記記録手段で記録した画像を上記表示手段で一定時間プレビュー表示させ、該一定時間経過後に上記プレビュー表示を停止して上記モニタ表示を再開させる第１の表示制御手段と、上記追加記録指示手段での指示に応じて上記一時記憶手段に記憶した複数の画像を上記表示手段で表示させる第２の表示制御手段と、上記第２の表示制御手段で表示した画像中から任意の画像の選択を受付ける画像選択手段とをさらに具備し、上記記録制御手段は、上記画像選択手段で受付けた選択画像を上記記録手段に追加記録することを特徴とする。
【手続補正３】
【補正対象書類名】明細書
【補正対象項目名】０００９
【補正方法】変更
【補正の内容】
【０００９】
請求項４記載の発明は、更に、上記一時記憶制御手段は、上記撮影指示手段での指示タイミングから一定時間が経過した時点で上記循環記憶を停止させることを特徴とする。
【手続補正４】
【補正対象書類名】明細書
【補正対象項目名】００１０
【補正方法】変更
【補正の内容】
【００１０】
請求項５記載の発明は、更に、上記一時記憶手段を複数領域に分割し、上記一時記憶制御手段は、上記撮影指示手段での指示がある毎に適宜タイミングで使用する上記一時記憶手段の領域を順次切換えることを特徴とする。
【手続補正５】
【補正対象書類名】明細書
【補正対象項目名】００１１
【補正方法】変更
【補正の内容】
【００１１】
請求項６記載の発明は、更に、上記一時記憶制御手段は、上記一時記憶手段の領域を順次切換えた後、上記撮像手段で得る画像の循環的な記憶を即時開始させることを特徴とする。
【手続補正６】
【補正対象書類名】明細書
【補正対象項目名】００１２
【補正方法】変更
【補正の内容】
【００１２】
請求項７記載の発明は、更に、上記一時記憶制御手段は、上記一時記憶手段の領域を順次切換えた後、切換え前の領域の一時記憶手段の記憶内容を維持することを特徴とする。
【手続補正７】
【補正対象書類名】明細書
【補正対象項目名】００１３
【補正方法】変更
【補正の内容】
【００１３】
請求項８記載の発明は、更に、上記一時記憶手段を複数の領域に分割し、上記一時記憶手段の複数の領域毎に画像の上書き記憶を行なうか否かを個々に設定する領域設定手段をさらに具備し、上記一時記憶制御手段は、上記領域設定手段での設定に応じて上記一時記憶手段で循環的に画像を記憶させる領域を順次切換えることを特徴とする。
【手続補正８】
【補正対象書類名】明細書
【補正対象項目名】００１４
【補正方法】変更
【補正の内容】
【００１４】
請求項９記載の発明は、被写体像を撮影する撮像部、静止画像の撮影を指示する撮影指示部、上記撮影指示部での指示タイミングに応じて上記撮像部で得た画像を記録する記録部、及び上記撮像部で得る画像を循環的に一定時間分記憶する一時記憶部を備えた撮像装置での撮像方法であって、上記撮影指示部で撮影を指示した後に、上記一時記憶部に記憶した画像の追加記録を指示する追加記録指示工程と、上記追加記録指示工程での指示に応じて、上記一時記憶部で記憶した画像であって、上記撮影指示部での指示タイミングよりも前に撮影された画像を上記記録部に追加記録する記録制御工程と、予め与えられる所定の条件の成立に従って上記一時記憶部が記憶する画像を自動的に消去する一時記憶制御工程とを有したことを特徴とする。
【手続補正９】
【補正対象書類名】明細書
【補正対象項目名】００１５
【補正方法】変更
【補正の内容】
【００１５】
請求項１０記載の発明は、被写体像を撮影する撮像部、静止画像の撮影を指示する撮影指示部、上記撮影指示部での指示タイミングに応じて上記撮像部で得た画像を記録する記録部、及び上記撮影指示部での指示タイミングの画像を含めて、上記撮像部で得る画像を循環的に一定時間分記憶する一時記憶部を備えた撮像装置が内蔵するコンピュータが実行するプログラムであって、上記コンピュータを上記撮影指示部で撮影を指示した後に、上記一時記憶部に記憶した画像の追加記録を指示する追加記録指示手段、上記追加記録指示手段での指示に応じて、上記一時記憶部で記憶した画像であって、上記撮影指示部での指示タイミングよりも前に撮影された画像を上記記録部に追加記録する記録制御手段、及び予め与えられる所定の条件の成立に従って上記一時記憶部が記憶する画像を自動的に消去する一時記憶制御手段として機能させることを特徴とする。
【手続補正１０】
【補正対象書類名】特許請求の範囲
【補正対象項目名】全文
【補正方法】変更
【補正の内容】
【特許請求の範囲】
【請求項１】
被写体像を撮影する撮像手段と、
静止画像の撮影を指示する撮影指示手段と、
上記撮影指示手段での指示タイミングに応じて上記撮像手段で得た画像を記録する記録手段と、
上記撮像手段で得る画像を循環的に一定時間分記憶する一時記憶手段と、
上記撮影指示手段で撮影を指示した後に、上記一時記憶手段に記憶した画像の追加記録を指示する追加記録指示手段と、
上記追加記録指示手段での指示に応じて、上記一時記憶手段で記憶した画像であって、上記撮影指示手段での指示タイミングよりも前に撮影された画像を上記記録手段に追加記録する記録制御手段と、
予め与えられる所定の条件の成立に従って上記一時記憶手段が記憶する画像を自動的に消去する一時記憶制御手段と
を具備したことを特徴とする撮像装置。
【請求項２】
上記追加記録指示手段は、上記一時記憶手段に記憶した画像の中から任意に選択した画像の追加記録を指示し、
上記記録制御手段は、上記追加記録指示手段により選択された画像を上記記録手段に追加記録し、
上記一時記憶制御手段は、上記一時記憶手段が記憶する画像の中で、上記追加記録指示手段により選択されなかった画像については、ユーザーによる削除の指示が無くとも自動的に消去することを特徴とする請求項１記載の撮像装置。
【請求項３】
画像を表示する表示手段と、
上記撮像手段で得られる画像を随時上記表示手段でモニタ表示させ、上記撮影指示手段での指示タイミングに応じて上記モニタ表示を停止し、代わって上記記録手段で記録した画像を上記表示手段で一定時間プレビュー表示させ、該一定時間経過後に上記プレビュー表示を停止して上記モニタ表示を再開させる第１の表示制御手段と、
上記追加記録指示手段での指示に応じて上記一時記憶手段に記憶した複数の画像を上記表示手段で表示させる第２の表示制御手段と、
上記第２の表示制御手段で表示した画像中から任意の画像の選択を受付ける画像選択手段と
をさらに具備し、
上記記録制御手段は、上記画像選択手段で受付けた選択画像を上記記録手段に追加記録する
ことを特徴とする請求項１または２に記載の撮像装置。
【請求項４】
上記一時記憶制御手段は、上記撮影指示手段での指示タイミングから一定時間が経過した時点で上記循環記憶を停止させることを特徴とする請求項１乃至３のいずれかに記載の撮像装置。
【請求項５】
上記一時記憶手段を複数領域に分割し、
上記一時記憶制御手段は、上記撮影指示手段での指示がある毎に適宜タイミングで使用する上記一時記憶手段の領域を順次切換える
ことを特徴とする請求項１乃至４のいずれかに記載の撮像装置。
【請求項６】
上記一時記憶制御手段は、上記一時記憶手段の領域を順次切換えた後、上記撮像手段で得る画像の循環的な記憶を即時開始させることを特徴とする請求項５記載の撮像装置。
【請求項７】
上記一時記憶制御手段は、上記一時記憶手段の領域を順次切換えた後、切換え前の領域の一時記憶手段の記憶内容を維持することを特徴とする請求項５または６に記載の撮像装置。
【請求項８】
上記一時記憶手段を複数の領域に分割し、
上記一時記憶手段の複数の領域毎に画像の上書き記憶を行なうか否かを個々に設定する領域設定手段をさらに具備し、
上記一時記憶制御手段は、上記領域設定手段での設定に応じて上記一時記憶手段で循環的に画像を記憶させる領域を順次切換える
ことを特徴とする請求項１乃至４のいずれかに記載の撮像装置。
【請求項９】
被写体像を撮影する撮像部、静止画像の撮影を指示する撮影指示部、上記撮影指示部での指示タイミングに応じて上記撮像部で得た画像を記録する記録部、及び上記撮像部で得る画像を循環的に一定時間分記憶する一時記憶部を備えた撮像装置での撮像方法であって、
上記撮影指示部で撮影を指示した後に、上記一時記憶部に記憶した画像の追加記録を指示する追加記録指示工程と、
上記追加記録指示工程での指示に応じて、上記一時記憶部で記憶した画像であって、上記撮影指示部での指示タイミングよりも前に撮影された画像を上記記録部に追加記録する記録制御工程と、
予め与えられる所定の条件の成立に従って上記一時記憶部が記憶する画像を自動的に消去する一時記憶制御工程と
を有したことを特徴とする撮像方法。
【請求項１０】
被写体像を撮影する撮像部、静止画像の撮影を指示する撮影指示部、上記撮影指示部での指示タイミングに応じて上記撮像部で得た画像を記録する記録部、及び上記撮影指示部での指示タイミングの画像を含めて、上記撮像部で得る画像を循環的に一定時間分記憶する一時記憶部を備えた撮像装置が内蔵するコンピュータが実行するプログラムであって、
上記コンピュータを
上記撮影指示部で撮影を指示した後に、上記一時記憶部に記憶した画像の追加記録を指示する追加記録指示手段、
上記追加記録指示手段での指示に応じて、上記一時記憶部で記憶した画像であって、上記撮影指示部での指示タイミングよりも前に撮影された画像を上記記録部に追加記録する記録制御手段、及び
予め与えられる所定の条件の成立に従って上記一時記憶部が記憶する画像を自動的に消去する一時記憶制御手段
として機能させる、コンピュータが読取り可能なプログラム。